(57)【要約】【課題】  化粧幕板の施工が簡単且つ正確にできると共に同時に化粧幕板の上面部分や両側面部分からの雨水の浸入を確実に防止できる。【解決手段】  バルコニー梁１の上面部に立設したバルコニー壁パネル６の下横枠７の屋外側端部をバルコニー梁１の外側に突出させる。バルコニー梁１の外面に見切り材９を取付ける。見切り材９の側部に嵌め込み凹部１０を設ける。化粧幕板２の上面に上面シール材１６を設ける。化粧幕板２の長手方向の両端部の背面に縦シール材１７を設ける。化粧幕板２の両端部を対向する見切り材９の嵌め込み凹部１０に下方から嵌め込んでバルコニー梁１の外面を覆った状態で固定すると共に上面シール材１６を下横枠７のバルコニー梁１の外面よりも外方に突出した部分の下面に弾接し且つ縦シール材１７を見切り材９の嵌め込み凹部１０の内側面に弾接する。【選択図】        図１
2006037683.tif 000002
【特許請求の範囲】
【請求項１】
バルコニー梁の上面部にバルコニー壁パネルを立設すると共にバルコニー壁パネルの下横枠の屋外側端部をバルコニー梁の外面よりも外側に突出させ、バルコニー梁の外面の長手方向の複数箇所に見切り材を上下方向にわたって取付け、見切り材の側部に側方及び上下に開口した断面コ字状の嵌め込み凹部を上下方向の全長にわたって設け、化粧幕板の上面の長手方向の全長にわたって上面シール材を設け、化粧幕板の長手方向の両端部の背面に上下方向にわたって縦シール材を設け、化粧幕板の両端部を対向する見切り材の嵌め込み凹部に下方から嵌め込んでバルコニー梁の外面を覆った状態で固定すると共に上面シール材を下横枠のバルコニー梁の外面よりも外方に突出した部分の下面に弾接し且つ縦シール材を見切り材の嵌め込み凹部の内側面に弾接して成ることを特徴とするバルコニーの化粧幕板の取付け構造。
【請求項２】
化粧幕板の長手方向の両側面の上端部に端部シール部を設け、該端部シール部を嵌め込み凹部内の上端部に弾性的に圧入して嵌め込み凹部を閉塞して成ることを特徴とする請求項１記載のバルコニーの化粧幕板の取付け構造。
【請求項３】
下横枠の外面部の下端に下方に向けて垂下片を垂設し、この垂下片の背方側に下方に開口した凹所を形成し、化粧幕板の上端部を凹所に挿入すると共に化粧幕板の上端部の外面を垂下片で覆って成ることを特徴とする請求項１又は請求項２記載のバルコニーの化粧幕板の取付け構造。
【発明の詳細な説明】
【技術分野】
【０００１】
本発明は、バルコニーの化粧幕板の取付け構造、より詳しくはバルコニー梁の外面に化粧幕板を取付けるための技術に関するものである。
【背景技術】
【０００２】
従来からバルコニー梁の外面側を化粧幕板で覆ってバルコニー梁の外面を隠して外観を良くすると共にバルコニー梁側に雨水が入らないようにしている。
【０００３】
バルコニー梁の外面側に化粧幕板を配置して取付けるに当たっては、例えば、バルコニー梁の上面部に腰壁パネルを立設し、更にバルコニー梁の下面側に下桟を取付け、上記腰壁パネルの下横枠と下桟とに化粧幕板の上下端部をビスにより固着することで取付け、腰壁パネルの外装材の下端と化粧幕板の上端との間にコーキング材を充填するものが知られている（特許文献１参照）。
【０００４】
ところが、この特許文献１に示される従来例にあっては、化粧幕板をバルコニー梁の外面を覆うように取付けるに当たって、バルコニー梁の外面位置という高所において作業者が手で化粧幕板を持ちながら化粧幕板の取付け位置の位置合わせ作業をしながら、位置合わせができると、位置合わせをした状態で化粧幕板が動かないように手で支持した状態で固着作業をしなければならず、このように化粧幕板の位置合わせ作業、固着作業がきわめて面倒となるという問題がある。
【０００５】
しかも、化粧幕板を取付けた後に、化粧幕板の上端と腰壁パネルの外装材の下端との間にコーキング材を充填する別の作業を必要とし、また、隣接する化粧幕板の端部間にもコーキング材を充填する別の作業が必要となるという問題がある。また、従来にあっては、上記コーキング材が外部に露出するため、汚れ易く、また、劣化しやすく、防水性が低下するという問題がある。
【特許文献１】特開２０００−８４７７号公報
【発明の開示】
【発明が解決しようとする課題】
【０００６】
本発明は上記の従来の問題点に鑑みて発明したものであって、化粧幕板をバルコニー梁の外面に沿って下方から差し込むだけで、化粧幕板を位置決めした状態でバルコニー梁の外面を覆うことができると共に同時に化粧幕板の上面部分や両側面部分からの雨水の浸入を確実に防止でき、施工が簡略化し且つ施工後の外観がよく、防水性も長期間にわたって安定するバルコニーの化粧幕板の取付け構造を提供することを課題とするものである。
【課題を解決するための手段】
【０００７】
上記課題を解決するために本発明に係るバルコニーの化粧幕板の取付け構造は、バルコニー梁１の上面部にバルコニー壁パネル６を立設すると共にバルコニー壁パネル６の下横枠７の屋外側端部をバルコニー梁１の外面よりも外側に突出させ、バルコニー梁１の外面の長手方向の複数箇所に見切り材９を上下方向にわたって取付け、見切り材９の側部に側方及び上下に開口した断面コ字状の嵌め込み凹部１０を上下方向の全長にわたって設け、化粧幕板２の上面の長手方向の全長にわたって上面シール材１６を設け、化粧幕板２の長手方向の両端部の背面に上下方向にわたって縦シール材１７を設け、化粧幕板２の両端部を対向する見切り材９の嵌め込み凹部１０に下方から嵌め込んでバルコニー梁１の外面を覆った状態で固定すると共に上面シール材１６を下横枠７のバルコニー梁１の外面よりも外方に突出した部分の下面に弾接し且つ縦シール材１７を見切り材９の嵌め込み凹部１０の内側面に弾接して成ることを特徴とするものである。
【０００８】
このような構成とすることで、化粧幕板２をバルコニー梁１の外面に沿って両端部を見切り材９の嵌め込み凹部１０に嵌め込むように下方から差し込む作業を行うことで、バルコニー梁１の外面の所定位置に化粧幕板２を位置決めして配設できて施工が簡略化できるものであり、しかも、化粧幕板２の下方からの差し込みが完了した状態で、化粧幕板２の上端面と下横枠７の下面との間が上面シール材１６により防水されると共に化粧幕板２の両端部の背面と嵌め込み凹部１０とが縦シール材１７により防水されるものであって、化粧幕板２を下方から差し込む作業をするのみで、化粧幕板２の上端、両端における防水が確実になされ、しかも、化粧幕板２の両端部が見切り材９により覆われて外部に露出せず、外観が良いと共に縦シール材１７の劣化も防止できて長期間にわたって防水効果が低下しない。
【０００９】
また、化粧幕板２の長手方向の両側面の上端部に端部シール部１６ａを設け、該端部シール部１６ａを嵌め込み凹部１０内の上端部に弾性的に圧入して嵌め込み凹部１０を閉塞することが好ましい。
【００１０】
このような構成とすることで、嵌め込み凹部１０の内部の上端部が端部シール部１６ａにより防水されて、嵌め込み凹部１０内を毛細管現象により上昇した雨水が嵌め込み凹部１０の上端からバルコニー梁１側に浸入するのが防止できる。
【００１１】
また、下横枠の外面部の下端に下方に向けて垂下片１３を垂設し、この垂下片１３の背方側に下方に開口した凹所２８を形成し、化粧幕板２の上端部を凹所２８に挿入すると共に化粧幕板２の上端部の外面を垂下片１３で覆うことが好ましい。
【００１２】
このような構成とすることで、垂下片１３により雨水が化粧幕板２の上端側に流れるのが防止できてよりいっそう雨水がバルコニー梁１側に浸入するのが防止でき、更に、垂下片１３により上面シール材１６が隠されて外部に露出せず、上面シール材１６の劣化が防止できて長期間にわたって防水効果が低下しない。
【発明の効果】
【００１３】
本発明は、上記のように、化粧幕板をバルコニー梁の外面に沿って下方から差し込んで両端部を見切り縁の嵌め込み凹部に嵌め込むという作業をするのみで、簡単に化粧幕板をバルコニー梁の外面側の所定位置に位置決めした状態でバルコニー梁の外面を覆うことができると共に同時に化粧幕板の上面部分や両側面部分からの雨水の浸入を確実に防止でき、また、化粧幕板の両端部が見切り材により覆われて外観が良く、これらの結果、施工が簡略化し且つ施工後の外観がよく、防水性も長期間にわたって安定するという利点がある。
【発明を実施するための最良の形態】
【００１４】
以下、本発明を添付図面に示す実施形態に基いて説明する。
【００１５】
図１、図４に示すように、バルコニー梁１の外面には長手方向の複数箇所に見切り材９が取付けてある。見切り材９はアルミニウムなどの金属製で、一側又は両側が側方及び上下方向に開口した水平断面コ字状をした嵌め込み凹部１０となっており、添付図面に示す実施形態においては、アルミニウムの下地材１１の外面に上記見切り材９がビスなどで固着してあり、下地材１１をバルコニー梁１に固着してある。見切り材９の側面部の嵌め込み凹部１０は任意の距離をおいて隣あう別の見切り材９の一側面部の嵌め込み凹部１０と対向している。
【００１６】
バルコニー梁１の上面部にはバルコニー壁パネル６を立設するようになっている。バルコニー壁パネル６としては、袖壁パネルと格子ユニットパネル６ａとがあり、バルコニー梁１の上面の全長にわたって袖壁パネルよりなるバルコニー壁パネル６を立設する場合、あるいは、バルコニー梁１の上面の全長にわたって格子ユニットパネルよりなるバルコニー壁パネル６を立設する場合、バルコニー梁１の上面部の一部に袖壁パネルを立設し、袖壁パネルを立設しない部分に格子ユニットパネルを立設する場合がある。
【００１７】
添付図面に示す実施形態ではバルコニー壁パネル６として格子ユニットパネル６ａをバルコニー梁１の上面部に立設した例を示しており、以下、バルコニー壁パネル６を格子ユニットパネル６ａとして説明する。
【００１８】
格子ユニット６ａは枠形状をした格子枠４の外面に格子５を取付けて構成してある。格子枠４の下横枠７の下面の長手方向の一端部に捨水切り材（図示せず）を取付け、更に下横枠７の下面の長手方向の両端部を除く部分（つまり捨水切り材を取付けていない部分）には複数個の固定金具２７を取付けて構成してある。
【００１９】
上記のような構成の格子ユニット６ａはバルコニー梁１の上面に固定金具２７を載置してボルト１２により固着することでバルコニー梁１の上面に立設するものである。
【００２０】
図２、図３に示すように、格子ユニット６ａをバルコニー梁１の上面に立設した状態で、格子枠４の下横枠７の外面側の端部がバルコニー梁１の外面よりも外方に突出している。下横枠７の外面部の下端には下方に向けて垂下片１３が垂設してあり、この垂下片１３の背方側は下方に開口した凹所２８となっている。
【００２１】
化粧幕板２はバルコニー梁１の外面側に取付けられるもので、添付図面に示す実施形態では金属製である。図８に示すように化粧幕板２の上部はバルコニー梁１側に凹んだ段部３となっており、更に、段部３の上端部から断面コ字状をした突出片部１４を突設してある。化粧幕板２の長手方向（左右方向）の両端部には縦枠部１５が設けてある。また、化粧幕板２の下端部から断面逆Ｌ字状をした逆Ｌ状片部１９が下方に向けて突設してあり、縦枠部１５の背面と、断面コ字状をした突出片部１４の縦片の背面と、断面逆Ｌ字状をした逆Ｌ状片部１９の縦片の背面とが同一垂直面上で面一となっている。化粧幕板２の上端面部である突出片部１４の上横片１４ａには全長にわたってエチレンプロピレンゴムのような弾性を有する上面シール材１６が取着してあり、更にこの上面シール材１６の長手方向の両端部は化粧幕板２の長手方向の両端部の上部に沿って折り曲げて取着してあって端部シール材部１６ａとなっており、この端部シール材部１６ａはコ字状をした突出片部１４の長手方向の側端開口部を遮蔽している。また、図９に示すように縦枠部１５の背面には上下方向の全長にわたってエチレンプロピレンゴムのような弾性を有する縦シール材１７が取着してあり、この縦シール材１７の上端は突出片部１４の縦片の背面に取着され上記上面シール材１６まで到っている。化粧幕板２の背面には合板のようなスペーサ部材１８が取着してあり、このスペーサ部材１８は突出片部１４の縦片の背面と同一垂直面上で面一となっている。
【００２２】
上記の構成の化粧幕板２は外面にあらかじめ見切り材９を取付けたバルコニー梁１の外面側の下方から図５の矢印に示すようにバルコニー梁１の外面に沿うように上方に差し込むことで、化粧幕板２の両端部をそれぞれ対向する見切り材９の嵌め込み凹部１０に図１に示すように嵌め込むことができるものであり、化粧幕板２の上端部の突出片部１４の上横片１４ａが格子ユニット６ａの下横枠７の外面下端の垂下片１３の背方の凹所２８に嵌め込まれると共に上面シール材１６が下横枠７の下面に弾性的に押し付けられるまで嵌め込む。この状態で化粧幕板２をビスなどの固着具で下地材１１などに固着して取付ける。このようにして化粧幕板２を下方からの嵌め込みにより取付けた状態では、図２、図３のように化粧幕板２の上端部と格子ユニット６ａの下横枠７の下面との間が上面シール材１６により防水され、また、図１に示すように化粧幕板２の長手方向の両端部の背面の縦シール材１７が上下方向の全長にわたって見切り材９に弾接して見切り材９と化粧幕板２の長手方向の端部との上下方向にわたって防水される。また、端部シール材部１６ａは見切り材９の嵌め込み凹部１０内の上端部を塞ぐもので、これにより毛細管現象などにより嵌め込み凹部１０内を上方に向けて浸入する雨水が嵌め込み凹部１０の上開口から先に進むのが防止される。
【００２３】
上記のように化粧幕板２をバルコニー梁１の外面に取付けてバルコニー梁１の外面の化粧仕上げをすると共に外面側からバルコニー梁１側に雨水が入らないようにするのであるが、化粧幕板２の段部３の上端部の突出片部１４の突出基部に下横枠７の外面下端の垂下片１３の下端が当接又は極わずかな隙間を介して対向していて段部３の外面と、垂下片１３の外面を含む下横枠７の外面とが面一に連続している。
【００２４】
本実施形態では格子ユニット６ａの外面には上下方向に複数の横格子材５ａを取付けて格子５を構成してあり、上記格子５はこの格子ユニット６ａの外面の下横枠７よりも上方位置に取付けてある。
【００２５】
段部３の外面側には図２、図６のようにダミー格子８が配設されてビスなどの固着具により固着される。ダミー格子８は一定間隔で上下方向に並ぶ複数の横格子材８ａを背面側において縦桟８ｂで連結したユニット状のものであって、横格子材８ａは上記横格子材５ａと同じものを使用し、複数の横格子材８ａの上下方向のピッチは、複数の横格子材５ａの上下方向のピッチと同じにしてある。このダミー格子８の固着は縦桟８ｂ部分において行われる。ダミー格子８の上部は段部３の上端部よりも上方に突出していてこの上方への突出部分が段部３と面一に上下方向に連続する上記下横枠７の外面に沿って配設され、格子ユニット６ａの格子５とダミー格子８とが上下方向に連続した格子模様となる。つまり、格子５の横格子材５ａの配設ピッチとダミー格子８の横格子材８ａの配設ピッチが同じで且つ横格子材８ａと横格子材５ａとの間のピッチも同じピッチであり、また、横格子材５ａの外面と横格子材８ａの外面とが同一垂直面に位置している。
【００２６】
したがって、この上下方向に連続した格子ユニット６ａの格子５とダミー格子８とは図２、図４に示すように上下方向の長さが長い１つの格子として外観され、格子ユニット６ａの外面の格子５と上下方向に連続するダミー格子８により上下方向の長さが長く且つ下端がバルコニー梁１の上端よりも下方に位置する格子を簡単に構成できるものである。
【００２７】
また、ダミー格子８は化粧幕板２の上部の段部３に配設されるので、ダミー格子８部分から雨水が浸入しても化粧幕板２の上部の段部３により遮られて内部に浸入せず、ダミー格子８を配設した部分における防水上の問題が発生せず、更に、前述のように化粧幕板２の上端面、長手方向の両端部背面等においてシール材で防水しているので、化粧幕板２の周囲からも雨水の浸入が防止できるものである。
【００２８】
バルコニー梁１の外面の下端部には更に化粧下幕板２１が配設される。化粧下幕板２１は図８、図９のように長手方向の両端部の下縦枠部２２の上面にエチレンプロピレンゴムのような弾性を有する上面シール材２３を取付けるとともに下縦枠部２２の背面に上下方向にわたってエチレンプロピレンゴムのような弾性を有する縦シール材２４を取付け、化粧下幕板２１の下端部に断面コ字状をした軒先見切り部２５を設けて構成してある。
【００２９】
この化粧下幕板２１を両端部をそれぞれ対向する見切り材９の嵌め込み凹部１０の下部に嵌め込み、上面シール材２３を化粧幕板２の縦枠部１５の下端面に弾性的に押し付けた状態で化粧下幕板２１をビスなどの固着具で下地材１１などに固着して取付ける。このようにして化粧下幕板２１を取付けた状態では、化粧下幕板２１の下縦枠部２２の上面と化粧幕板２の縦枠部１５の下面との間が上面シール材２３により防水され、また、化粧下幕板２１の長手方向の両端部の背面の縦シール材２４が上下方向の全長にわたって見切り材９に弾接して見切り材９と化粧下幕板２１の長手方向の端部との上下方向にわたって防水される。
【００３０】
上記のようにして取付けられる化粧下幕板２１の下端部の断面コ字状をした軒先見切り部２５内には図２に示すように軒天井２６の軒先側端部が配置されて軒天井２６の軒先側端部が軒先見切り部２５により覆われる。
【００３１】
なお、上記実施形態では化粧幕板２の外面の上部に段部３を設けて、該段部３の外面側にダミー格子８を配設する例で説明したが、本発明においては必ずしもこれにのみ限定されず、化粧幕板２の外面に段部３を設けないと共にダミー格子８も設けないものであってもよい。
【００３２】
また、上記実施形態ではバルコニー壁パネル６として格子ユニットパネル６ａの場合を例にして説明したが、バルコニー壁パネル６が袖壁パネルであってもよいのはもちろんである。
【図面の簡単な説明】
【００３３】
【図１】本発明の格子付きバルコニーの平断面図である。
【図２】同上の図４のＸ−Ｘ線の一部破断した縦断面図である。
【図３】同上の要部拡大断面図である。
【図４】同上の正面図である。
【図５】同上の化粧幕板を下方からの差し込みで取付けることを示す説明図のための斜視図である。
【図６】同上のダミー格子の取付けを示す説明のための斜視図である。
【図７】同上の化粧下幕板を下方からの差し込みで取付けることを説明するための斜視図である。
【図８】同上に用いる化粧幕板及び化粧下幕板の正面から見た一部省略分解斜視図である。
【図９】同上に用いる化粧幕板及び化粧下幕板の背面から見た一部省略分解斜視図である。
【符号の説明】
【００３４】
１  バルコニー梁
２  化粧幕板
６  バルコニー壁パネル
７  下横枠
９  見切り材
１０  嵌め込み凹部
１３  垂下片
１６  上面シール材
１７  縦シール材
２８  凹所
【図１】
2006037683.tif 000003
【図２】
2006037683.tif 000004
【図３】
2006037683.tif 000005
【図４】
2006037683.tif 000006
【図５】
2006037683.tif 000007
【図６】
2006037683.tif 000008
【図７】
2006037683.tif 000009
【図８】
2006037683.tif 000010
【図９】
2006037683.tif 000011